(57)【要約】【課題】消費電力を低減できる電子時計を提供すること。【解決手段】電子時計１０は、衛星信号を受信する受信装置１２１と、衛星信号の自動受信条件を設定する条件設定部３３０と、自動受信条件に該当したか否かを判定し、自動受信条件に該当した場合、受信装置１２１を作動して受信処理を実行する自動受信制御部３１０とを備える。自動受信制御部３１０は、受信処理を実行した結果、受信に成功した場合は、所定の期間、受信処理を実行しない。条件設定部３３０は、自動受信条件を第１自動受信条件に設定し、第１自動受信条件に該当して受信処理が実行された結果、受信に成功しなかった場合は、自動受信条件を、第１自動受信条件よりも厳しい第２自動受信条件に設定する。【選択図】図４
2017032464.tif 000002
【特許請求の範囲】
【請求項１】
衛星信号を受信する受信部と、
前記衛星信号の自動受信条件を設定する条件設定部と、
前記自動受信条件に該当したか否かを判定し、前記自動受信条件に該当した場合、前記受信部を作動して受信処理を実行する自動受信制御部と、を備え、
前記自動受信制御部は、受信処理を実行した結果、受信に成功した場合は、所定の期間、受信処理を実行せず、
前記条件設定部は、
前記自動受信条件を第１自動受信条件に設定し、
前記第１自動受信条件に該当して受信処理が実行された結果、受信に成功しなかった場合は、前記自動受信条件を、前記第１自動受信条件よりも厳しい第２自動受信条件に設定する
ことを特徴とする電子時計。
【請求項２】
請求項１に記載の電子時計において、
照度を検出する照度検出部を備え、
前記第１自動受信条件は、前記照度検出部で検出された検出照度が、第１照度閾値以上かであり、
前記第２自動受信条件は、前記検出照度が、前記第１照度閾値より高い第２照度閾値以上かである
ことを特徴とする電子時計。
【請求項３】
請求項１に記載の電子時計において、
照度を検出する照度検出部を備え、
前記第１自動受信条件は、前記照度検出部で検出された検出照度が、予め設定された照度閾値以上となる状態が、第１時間閾値以上継続したかであり、
前記第２自動受信条件は、前記状態が、前記第１時間閾値よりも長い第２時間閾値以上継続したかである
ことを特徴とする電子時計。
【請求項４】
請求項１から請求項３のいずれか１項に記載の電子時計において、
前記条件設定部は、前記第２自動受信条件に該当して受信処理が実行された結果、受信に成功しなかった場合は、前記自動受信条件を、前記第２自動受信条件に維持し、
前記自動受信制御部は、前記第１自動受信条件に該当して受信処理が開始された時点からの経過時間が所定時間となるまでの期間において、前記第２自動受信条件に該当して実行された受信処理の回数が所定回数となる場合、前記経過時間が前記所定時間となるまで、受信処理を実行しない
ことを特徴とする電子時計。
【請求項５】
請求項１に記載の電子時計において、
前記条件設定部は、前記第２自動受信条件に該当して受信処理が実行された結果、受信に成功しなかった場合は、前記自動受信条件を、前記第２自動受信条件よりも厳しい第３自動受信条件に設定する
ことを特徴とする電子時計。
【請求項６】
請求項５に記載の電子時計において、
照度を検出する照度検出部を備え、
前記第１自動受信条件は、前記照度検出部で検出された検出照度が、第１照度閾値以上かであり、
前記第２自動受信条件は、前記検出照度が、前記第１照度閾値より高い第２照度閾値以上かであり、
前記第３自動受信条件は、前記検出照度が、前記第２照度閾値より高い第３照度閾値以上かである
ことを特徴とする電子時計。
【請求項７】
請求項５に記載の電子時計において、
照度を検出する照度検出部を備え、
前記第１自動受信条件は、前記照度検出部で検出された検出照度が、予め設定された照度閾値以上となる状態が、第１時間閾値以上継続したかであり、
前記第２自動受信条件は、前記状態が、前記第１時間閾値よりも長い第２時間閾値以上継続したかであり、
前記第３自動受信条件は、前記状態が、前記第２時間閾値よりも長い第３時間閾値以上継続したかである
ことを特徴とする電子時計。
【請求項８】
請求項１から請求項７のいずれか１項に記載の電子時計において、
前記条件設定部は、前記第１自動受信条件に該当して受信処理が開始された時点からの経過時間が、所定時間となる場合、前記自動受信条件を前記第１自動受信条件に設定する
ことを特徴とする電子時計。
【発明の詳細な説明】
【技術分野】
【０００１】
本発明は、衛星信号を受信する電子時計に関する。
【背景技術】
【０００２】
従来、ＧＰＳ（Global Positioning System）衛星から送信される衛星信号を受信して時刻を修正する電子時計が知られている（例えば、特許文献１参照）。
特許文献１の腕時計は、時計が屋外にあることを検出した場合、衛星信号の自動受信を行う条件に該当したと判定して、衛星信号を受信する受信処理を実行する。そして、受信に成功した場合は、受信成功から２２時間経過するまでは受信処理を実行せず、２２時間経過後は、前記自動受信を行う条件に該当すれば、受信処理を実行する。一方、受信に成功しなかった場合には、受信に成功するまで、前記自動受信を行う条件に該当する毎に、最短で１０分間に１回の間隔で受信処理を実行する。
【先行技術文献】
【特許文献】
【０００３】
【特許文献１】特開２００９−１６８６２０号公報
【発明の概要】
【発明が解決しようとする課題】
【０００４】
衛星信号の受信に成功しなかった場合、例えば、時計が室内にあるか屋外にあるかや、時計が移動状態か静止状態かなどの受信環境が変化しなければ、自動受信を行う条件に該当し、かつ、衛星信号を受信できない状況が続く。この場合、特許文献１の腕時計では、１０分間隔で受信処理が繰り返し実行されることになる。このため、消費電力が増大するという問題がある。
【０００５】
本発明の目的は、消費電力を低減できる電子時計を提供することにある。
【課題を解決するための手段】
【０００６】
本発明の電子時計は、衛星信号を受信する受信部と、前記衛星信号の自動受信条件を設定する条件設定部と、前記自動受信条件に該当したか否かを判定し、前記自動受信条件に該当した場合、前記受信部を作動して受信処理を実行する自動受信制御部と、を備え、前記自動受信制御部は、受信処理を実行した結果、受信に成功した場合は、所定の期間、受信処理を実行せず、前記条件設定部は、前記自動受信条件を第１自動受信条件に設定し、前記第１自動受信条件に該当して受信処理が実行された結果、受信に成功しなかった場合は、前記自動受信条件を、前記第１自動受信条件よりも厳しい第２自動受信条件に設定することを特徴とする。
【０００７】
自動受信条件とは、電子時計が屋外に配置されていることを検出できる条件である。
また、第１自動受信条件よりも厳しいとは、該当条件が第１自動受信条件よりも厳しいことを意味する。例えば、第１自動受信条件は、時計が衛星信号の受信に成功しやすい屋外に位置している可能性がある場合に該当する条件であり、第２自動受信条件は、時計が屋外に位置している可能性がより高い場合にのみ該当する条件である。
すなわち、第１自動受信条件は、第２自動受信条件と比べて緩い条件のため、条件に該当して受信処理が実行される頻度は高いが、受信に成功する確率は低い。反対に、第２自動受信条件は、第１自動受信条件と比べて厳しい条件のため、条件に該当して受信処理が実行される頻度は低いが、受信に成功する確率は高い。
本発明によれば、第１自動受信条件に該当して受信処理が実行された結果、衛星信号の受信に成功した場合、自動受信制御部は、所定の期間、受信処理を実行しない。
一方、第１自動受信条件に該当して受信処理が実行された結果、衛星信号の受信に成功しなかった場合、条件設定部は、自動受信条件を第１自動受信条件よりも厳しい第２自動受信条件に設定する。そして、第２自動受信条件による受信処理に成功した場合、自動受信制御部は、所定の期間、受信処理を実行しない。
これによれば、第１自動受信条件による受信に成功しなかった場合、第２自動受信条件に該当し、例えば時計が室内から屋外に移動したり、時計が移動状態から静止状態に変化した場合など、受信環境が改善したと判定できる場合に、受信処理が実行される。
このため、自動受信条件が第１自動受信条件から変更されない場合と比べて、受信に成功する確率が高い状態で受信処理を実行できるため、少ない受信回数で受信に成功することができ、消費電力を低減できる。
【０００８】
本発明の電子時計において、照度を検出する照度検出部を備え、前記第１自動受信条件は、前記照度検出部で検出された検出照度が、第１照度閾値以上かであり、前記第２自動受信条件は、前記検出照度が、前記第１照度閾値より高い第２照度閾値以上かであることが好ましい。
【０００９】
屋外で時計に照射される太陽光の照度は、多くの場合、室内で時計に照射される室内照明の照度よりも高い。
本発明では、第１自動受信条件は、検出照度が、第１照度閾値以上かである。第１照度閾値は、例えば、蛍光灯などの一般的な室内照明の照度よりも高く、かつ、雨天時などの太陽光の照度よりも低い値（例えば約２０００ｌｘ）に設定される。
このため、自動受信条件が第１自動受信条件に設定されている場合、多くの場合は、時計が屋外にある場合に、受信処理を実行できる。
また、本発明では、第２自動受信条件は、検出照度が、第１照度閾値より高い第２照度閾値以上かである。第２照度閾値は、例えば、一般的な室内照明と比べて照度が高い、例えばデパートの店内のスポットライトの照度（約３０００ｌｘ）よりも高い値（例えば約５０００ｌｘ）に設定される。このため、第２自動受信条件に該当した場合は、時計にスポットライトなどの照明が照射しているのではなく、太陽光が照射していると判定でき、時計が屋外にあると判定できる。
このため、本発明によれば、例えば、室内において、一般的な室内照明と比べて照度が高い照明の光が時計に照射され、第１自動受信条件による受信処理が実行された結果、受信に成功しなかった場合は、第２自動受信条件に該当し、時計が屋外に移動したと判定できる場合に、受信処理が実行される。このため、自動受信条件が第１自動受信条件から変更されない場合と比べて、受信に成功する確率が高い状態で受信処理を実行できるため、少ない受信回数で受信に成功することができ、消費電力を低減できる。
【００１０】
本発明の電子時計において、照度を検出する照度検出部を備え、前記第１自動受信条件は、前記照度検出部で検出された検出照度が、予め設定された照度閾値以上となる状態が、第１時間閾値以上継続したかであり、前記第２自動受信条件は、前記状態が、前記第１時間閾値よりも長い第２時間閾値以上継続したかであることが好ましい。
【００１１】
本発明では、第１自動受信条件および第２自動受信条件が、検出照度だけではなく、検出照度が照度閾値以上となる時間も基準にして設定される。
照度閾値は、例えば、２０００ｌｘに設定される。第１自動受信条件の第１時間閾値は、例えば１秒など、時計が屋外にあると判定できる最小値に設定される。
本発明によれば、自動受信条件が第１自動受信条件に設定されている場合、多くの場合は、時計が屋外にある場合に、受信処理を実行できる。
また、本発明では、第２自動受信条件の第２時間閾値は、例えば、１分に設定される。
ここで、照度が照度閾値以上となるような照明は、デパートの店内のスポットライトなど、商品などを照らしているものが多いため、当該照明の光が時計に照射された状態が１分以上続くことは稀である。このため、第２自動受信条件に該当した場合は、時計にスポットライトなどの照明が照射しているのではなく、時計に太陽光が照射していると判定でき、時計が屋外にあると判定できる。
このため、本発明によれば、例えば、室内において、一般的な室内照明と比べて照度が高い照明の光が時計に照射され、第１自動受信条件による受信処理が実行された結果、受信に成功しなかった場合は、第２自動受信条件に該当し、時計が屋外に移動したと判定できる場合に、受信処理が実行される。このため、自動受信条件が第１自動受信条件から変更されない場合と比べて、受信に成功する確率が高い状態で受信処理を実行できるため、少ない受信回数で受信に成功することができ、消費電力を低減できる。
【００１２】
本発明の電子時計において、前記条件設定部は、前記第２自動受信条件に該当して受信処理が実行された結果、受信に成功しなかった場合は、前記自動受信条件を、前記第２自動受信条件に維持し、前記自動受信制御部は、前記第１自動受信条件に該当して受信処理が開始された時点からの経過時間が所定時間となるまでの期間において、前記第２自動受信条件に該当して実行された受信処理の回数が所定回数となる場合、前記経過時間が前記所定時間となるまで、受信処理を実行しないことが好ましい。
【００１３】
本発明によれば、自動受信条件が第２自動受信条件に設定された場合、例えば、室内における窓際などで、太陽光が時計に照射する場合など、時計が、第２自動受信条件に該当し、かつ、衛星信号を受信できない状況にある場合に、前記経過時間が所定時間となるまでに、所定回数より多く受信処理が実行されることがない。このため、受信処理の回数制限がない場合と比べて、消費電力を低減できる。
【００１４】
本発明の電子時計において、前記条件設定部は、前記第２自動受信条件に該当して受信処理が実行された結果、受信に成功しなかった場合は、前記自動受信条件を、前記第２自動受信条件よりも厳しい第３自動受信条件に設定することが好ましい。
【００１５】
本発明によれば、第２自動受信条件による受信に成功しなかった場合、第３自動受信条件に該当し、受信環境が改善したと判定できる場合に、受信処理が実行される。このため、自動受信条件が第２自動受信条件から変更されない場合と比べて、受信に成功する確率が高い状態で受信処理を実行できるため、少ない受信回数で受信に成功することができ、消費電力をより低減できる。
【００１６】
本発明の電子時計において、照度を検出する照度検出部を備え、前記第１自動受信条件は、前記照度検出部で検出された検出照度が、第１照度閾値以上かであり、前記第２自動受信条件は、前記検出照度が、前記第１照度閾値より高い第２照度閾値以上かであり、前記第３自動受信条件は、前記検出照度が、前記第２照度閾値より高い第３照度閾値以上かであることが好ましい。
【００１７】
本発明では、第３自動受信条件は、検出照度が、第２照度閾値より高い第３照度閾値以上かである。第３照度閾値は、例えば、室内における窓際などで時計に照射される太陽光よりも高い値（例えば約８０００ｌｘ）に設定される。このため、第３自動受信条件に該当した場合は、時計に窓際などで太陽光が照射しているのではなく、屋外で太陽光が照射していると判定でき、時計が屋外にあると判定できる。
このため、本発明によれば、例えば、室内における窓際などで時計に太陽光が照射され、第２自動受信条件による受信処理が実行された結果、受信に成功しなかった場合は、第３自動受信条件に該当し、時計が屋外に移動したと判定できる場合に、受信処理が実行される。このため、自動受信条件が第２自動受信条件から変更されない場合と比べて、受信に成功する確率が高い状態で受信処理を実行できるため、少ない受信回数で受信に成功することができ、消費電力を低減できる。
【００１８】
本発明の電子時計において、照度を検出する照度検出部を備え、前記第１自動受信条件は、前記照度検出部で検出された検出照度が、予め設定された照度閾値以上となる状態が、第１時間閾値以上継続したかであり、前記第２自動受信条件は、前記状態が、前記第１時間閾値よりも長い第２時間閾値以上継続したかであり、前記第３自動受信条件は、前記状態が、前記第２時間閾値よりも長い第３時間閾値以上継続したかであることが好ましい。
【００１９】
本発明では、第３自動受信条件の第３時間閾値は、例えば、３分に設定される。
時計が屋外に配置され、第２自動受信条件に該当する場合であっても、時計を装着したユーザーが歩行している場合は、腕の振りに応じて時計の角度が変化するため、衛星信号が時計内に継続して入射されず、衛星信号を受信できない場合がある。ただし、このような場合は、時計に照射される太陽光の光量も変化するため、検出照度が照度閾値以上となる状態が３分以上継続する可能性は低い。このため、第３自動受信条件に該当した場合は、屋外においてユーザーが静止していると判定できる。
このため、本発明によれば、例えば、屋外において時計を装着したユーザーが歩行しており、第２自動受信条件による受信処理が実行された結果、受信に成功しなかった場合は、第３自動受信条件に該当し、ユーザーが静止したと判定できる場合に、受信処理が実行される。このため、自動受信条件が第２自動受信条件から変更されない場合と比べて、受信に成功する確率が高い状態で受信処理を実行できるため、少ない受信回数で受信に成功することができ、消費電力を低減できる。
【００２０】
本発明の電子時計において、前記条件設定部は、前記第１自動受信条件に該当して受信処理が開始された時点からの経過時間が、所定時間となる場合、前記自動受信条件を前記第１自動受信条件に設定することが好ましい。
【００２１】
本発明によれば、自動受信条件は、長くとも所定時間毎に、条件に該当する頻度が高い第１自動受信条件に設定される。このため、少なくとも所定時間に１回は、受信処理が行われる可能性が高い。このため、所定時間を、例えば、時計の月差などの時刻精度に応じて設定することで、受信間隔を適切に設定できる。
【図面の簡単な説明】
【００２２】
【図１】本発明の第１実施形態に係る電子時計を示す概略図である。
【図２】第１実施形態における電子時計の正面図である。
【図３】第１実施形態における電子時計の断面図である。
【図４】第１実施形態における制御ブロック図である。
【図５】第１実施形態における記憶装置のデータ構造図である。
【図６】第１実施形態における制御装置が実行する処理を示すフローチャートである。
【図７】第１実施形態における再受信制御処理を示すフローチャートである。
【図８】本発明の第２実施形態に係る再受信制御処理を示すフローチャートである。
【図９】本発明の第３実施形態に係る再受信制御処理を示すフローチャートである。
【発明を実施するための形態】
【００２３】
以下、本発明の具体的な実施形態を図面に基づいて説明する。
［第１実施形態］
図１は、本実施形態の電子時計１０を示す概略図である。
電子時計１０は、地球の上空を所定の軌道で周回している複数のＧＰＳ衛星１００のうち、少なくとも１つのＧＰＳ衛星１００からの衛星信号を受信して時刻情報を取得し、少なくとも３つのＧＰＳ衛星１００からの衛星信号を受信して位置情報を算出して取得するように構成されている。なお、ＧＰＳ衛星１００は、位置情報衛星の一例であり、地球の上空に複数存在している。現在は約３０個のＧＰＳ衛星１００が周回している。
【００２４】
［電子時計の概略構成］
図２は、電子時計１０の正面図であり、図３は、電子時計１０の概略を示す断面図である。
電子時計１０は、図２および図３に示すように、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング４０を介して、円盤状の文字板１１が時刻表示部分として配置されている。
外装ケース３０の側面には、文字板１１の中心より、２時方向の位置にＡボタン５１と、４時方向の位置にＢボタン５２と、３時方向の位置にリューズ５５とが設けられている。
【００２５】
電子時計１０は、図３に示すように、金属製の外装ケース３０の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、駆動機構１４０などが備えられている。駆動機構１４０は、図２に示す各指針２１，２２，２３，６１，７１，８１，８２，９１およびカレンダー車１６を駆動する。
指針軸２５は、外装ケース３０の平面視中心を通り、表裏方向に延在する中心軸に沿って設けられている。
【００２６】
ダイヤルリング４０は、外周端が、ベゼル３２の内周面に接触しているとともに、一面がカバーガラス３３と平行な平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面とによりドーナツ形状の収納空間が形成されており、この収納空間内には、リング状のアンテナ体１１０が収納されている。
【００２７】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
文字板１１と、駆動機構１４０が取り付けられている地板１２５との間には、光発電を行うソーラーパネル１３５が備えられている。ソーラーパネル１３５は、光エネルギーを電気エネルギー（電力）に変換する複数のソーラーセル（光発電素子）を直列接続した円形の平板である。文字板１１、ソーラーパネル１３５および地板１２５には、指針軸２５と、指針６１，７１，８１，８２，９１の指針軸（図示せず）とが貫通する穴が形成されている。また、文字板１１およびソーラーパネル１３５には、カレンダー小窓１５の開口部が形成されている。
【００２８】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５等を回転させることにより各指針を駆動する。
駆動機構１４０は、具体的には、第１〜第６駆動機構を備える。第１駆動機構は、第１時刻（ローカルタイム）の「分」および「時」を示す指針２２（分針）および指針２３（時針）を駆動する。また、図２に示す指針２１，６１，７１，８１，８２，９１も同様の駆動機構（図示略）で駆動される。すなわち、第２駆動機構は第１時刻の「秒」を示す指針２１を駆動し、第３駆動機構は曜日を示す指針６１を駆動し、第４駆動機構はモードなどを示す指針７１を駆動し、第５駆動機構は、第２時刻（ホームタイム）の「分」および「時」を示す指針８１（分）、指針８２（時）および第２時刻の午前および午後を示す指針９１を駆動し、第６駆動機構は、カレンダー小窓１５から視認されるカレンダー車１６を駆動する。
【００２９】
回路基板１２０は、受信装置（ＧＰＳモジュール）１２１、制御装置３００、記憶装置２００を備えている。また、この回路基板１２０とアンテナ体１１０とは、アンテナ接続ピン１１５を用い接続されている。受信装置１２１、制御装置３００、記憶装置２００が設けられた回路基板１２０の裏蓋３４側（裏面側）には、これらの回路部品を覆うための回路押さえ１２２が設けられている。また、リチウムイオン電池などの二次電池１３０が、地板１２５と裏蓋３４との間に設けられている。二次電池１３０は、ソーラーパネル１３５が発電した電力で充電される。
【００３０】
［電子時計の表示機構］
文字板１１の外周部を囲むダイヤルリング４０の内周側には、図２に示すように、内周を６０分割にする目盛が表記されている。この目盛を用いて、指針２１は通常時に第１時刻の「秒」を表示し、指針２２は第１時刻の「分」を表示し、指針２３は第１時刻の「時」を表示する。なお、第１時刻の「秒」は、後述する第２時刻の「秒」と同じため、ユーザーは、指針２１を確認することで、第２時刻の「秒」も把握できる。
また、ダイヤルリング４０には、１２分位置にアルファベットの「Ｙ」と、１８分位置にアルファベットの「Ｎ」の英字が表記されている。この英字は、ＧＰＳ衛星１００から受信した衛星信号に基づく各種情報の受信（取得）結果（Ｙ：受信（取得）成功、Ｎ：受信（取得）失敗）を示す。指針２１は、「Ｙ」および「Ｎ」のいずれか一方を指示し、衛星信号の受信結果を表示する。なお、受信結果の表示は、Ａボタン５１を３秒未満押すことで行われる。
【００３１】
指針６１は、文字板１１の中心から２時方向の位置に設けられている。指針６１の回転領域の外周には、七曜を示す、「Ｓ」、「Ｍ」、「Ｔ」、「Ｗ」、「Ｔ」、「Ｆ」、「Ｓ」の英字が表記されている。指針６１は、「Ｓ」〜「Ｓ」のいずれかを指示することで、曜日を表示する。
【００３２】
指針７１は、文字板１１の中心から１０時方向の位置に設けられている。以下、指針７１の回転領域の外周の表記について説明するが、「ｎ時方向」（ｎは任意の自然数）とあるのは、指針７１の指針軸から回転領域の外周をみたときの方向である。
指針７１の回転領域の６時方向から７時方向の範囲の外周には、「ＤＳＴ」の英字と「○」の記号が表記されている。ＤＳＴ（daylight saving time）は夏時間を意味する。指針７１は、これらの英字と記号を指示することで、夏時間（ＤＳＴ：夏時間ＯＮ、○：夏時間ＯＦＦ）の設定を表示する。
【００３３】
指針７１の回転領域の８時方向から９時方向までの範囲の外周には、円周に沿って、９時方向の基端が太く、８時方向の先端が細い三日月鎌状の記号７２が表記されている。この記号７２は二次電池１３０（図３参照）のパワーインジケーターであり、電池残量に応じた位置を指針７１が指示することで電池残量が表示される。なお、指針７１は、通常時、記号７２を指示している。
【００３４】
指針７１の回転領域の１０時方向の外周には、飛行機形状の記号７３が表記されている。この記号は、機内モードを表す。航空機の離着陸時は、航空法によって衛星信号の受信が禁止されている。指針７１は、記号７３を指示することで、機内モードに設定され、受信が行われないことを表示する。
【００３５】
指針７１の回転領域の１１時方向から１２時方向までの範囲の外周には、「１」の数字と「４＋」の記号が表記されている。これらの数字と記号は、衛星信号の受信モードを表す。「１」はＧＰＳ時刻情報を受信し内部時刻が修正されること（測時モード）を、「４＋」はＧＰＳ時刻情報と軌道情報とを受信し、現在位置である位置情報を算出し、内部時刻と後述するタイムゾーンデータとが修正されること（測位モード）を意味する。
【００３６】
指針８１，８２は、文字板１１の中心から６時方向の位置に設けられている。指針８１は、第２時刻の「分」を表示し、指針８２は、第２時刻の「時」を表示する。
指針９１は、文字板１１の中心から４時方向の位置に設けられ、第２時刻の午前および午後を表示する。
カレンダー小窓１５は、文字板１１を矩形状に開口した開口部に設けられており、開口部からカレンダー車１６に印刷された数字が視認可能となっている。この数字は、年月日の「日」を表す。
【００３７】
またダイヤルリング４０には、内周側の目盛に沿って、協定世界時（ＵＴＣ）との時差を表す時差情報４５が、数字と数字以外の記号とで表記されている。数字の時差情報４５は整数の時差であり、記号の時差情報４５は整数以外の時差であることを表している。指針２１，２２，２３で表示された第１時刻と、ＵＴＣとの時差は、Ｂボタン５２を押すことにより指針２１が指し示す時差情報４５で確認することができる。
また、ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。ここで、時差情報４５や都市情報３５の表記をタイムゾーン表示４６という。本実施形態では、全世界で使用されているタイムゾーンの数と等しいタイムゾーン表示４６が表記されている。
【００３８】
［電子時計の内部構成］
図４は、電子時計１０の制御ブロック図である。
電子時計１０は、図４に示すように、ＣＰＵ（中央処理装置）で構成される制御装置３００、ＲＡＭ（Random Access Memory）やＲＯＭ（Read Only Memory）で構成される記憶装置２００、受信装置（ＧＰＳモジュール）１２１、計時装置１５０、入力装置１６０、駆動機構１４０、表示装置１４１を備えている。これらの各装置は、データバスを介してデータを送受信する。
また、電子時計１０は、電源となる充電可能な二次電池１３０（図３参照）を内蔵している。二次電池１３０は、ソーラーパネル１３５から充電回路１３１を介して供給される電力で充電される。さらに、電子時計１０は、充電回路１３１に接続され、ソーラーパネル１３５の発電電圧を検出する発電電圧検出回路１３６を備えている。
【００３９】
［入力装置］
入力装置１６０は、図２に示すリューズ５５、Ａボタン５１、Ｂボタン５２を備えて構成される。
［表示装置］
表示装置１４１は、図２に示す文字板１１、ダイヤルリング４０、ベゼル３２、指針２１，２２，２３，６１，７１，８１，８２，９１を備えて構成される。
【００４０】
［受信装置］
受信装置１２１は、アンテナ体１１０に接続され、アンテナ体１１０を介して受信した衛星信号を処理してＧＰＳ時刻情報や位置情報を取得する。アンテナ体１１０は、地球の上空を所定の軌道で周回している複数のＧＰＳ衛星１００（図１参照）から送信され、図３に示すカバーガラス３３とダイヤルリング４０とを通過した衛星信号の電波を受信する。ここで、受信装置１２１は、本発明の受信部の一例である。
【００４１】
そして、受信装置１２１は、図示を略すが、通常のＧＰＳ装置と同様に、ＧＰＳ衛星１００から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）からＧＰＳ時刻情報や位置情報（測位情報）を取得して出力する情報取得手段と、を備えている。
【００４２】
［計時装置］
計時装置１５０は、二次電池１３０に蓄積された電力で駆動される水晶振動子等を備え、水晶振動子の発振信号に基づく基準信号を用いて時刻データを更新する。
【００４３】
［記憶装置］
記憶装置２００は、図５に示すように、時刻データ記憶部２１０と、タイムゾーンデータ記憶部２２０とを備えている。
時刻データ記憶部２１０には、受信時刻データ２１１と、閏秒更新データ２１２と、内部時刻データ２１３と、第１表示用時刻データ２１４と、第２表示用時刻データ２１５と、第１タイムゾーンデータ２１６と、第２タイムゾーンデータ２１７とが記憶される。
受信時刻データ２１１には、衛星信号から取得した時刻情報（ＧＰＳ時刻）が記憶される。この受信時刻データ２１１は、通常は計時装置１５０によって１秒毎に更新され、衛星信号を受信した際には、取得した時刻情報（ＧＰＳ時刻）が記憶される。
閏秒更新データ２１２には、少なくとも現在の閏秒のデータが記憶される。すなわち、衛星信号のサブフレーム４、ページ１８には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ２１２に記憶している。
【００４４】
内部時刻データ２１３には、内部時刻情報が記憶される。この内部時刻情報は、受信時刻データ２１１に記憶されたＧＰＳ時刻と、閏秒更新データ２１２に記憶している「現在の閏秒」とによって更新される。すなわち、内部時刻データ２１３には、ＵＴＣ（協定世界時）が記憶されることになる。受信時刻データ２１１が計時装置１５０で更新される際に、この内部時刻情報も更新される。
【００４５】
第１表示用時刻データ２１４には、内部時刻データ２１３の内部時刻情報に、第１タイムゾーンデータ２１６のタイムゾーンデータ（時差情報）を加味した時刻情報が記憶される。第１タイムゾーンデータ２１６は、ユーザーが手動で選択した場合や測位モードで受信した場合に得られるタイムゾーンデータで設定される。ここで、第１表示用時刻データ２１４の時刻情報は、指針２１，２２，２３によって表示される第１時刻に相当する。
第２表示用時刻データ２１５には、内部時刻データ２１３の内部時刻情報に、第２タイムゾーンデータ２１７のタイムゾーンデータを加味した時刻情報が記憶される。第２タイムゾーンデータ２１７は、ユーザーが手動で選択した場合に得られるタイムゾーンデータで設定される。ここで、第２表示用時刻データ２１５の時刻情報は、指針８１，８２、９１によって表示される第２時刻に相当する。
【００４６】
タイムゾーンデータ記憶部２２０は、位置情報（緯度、経度）とタイムゾーンデータ（時差情報）とを関連付けて記憶している。このため、測位モードで位置情報を取得した場合、制御装置３００は、その位置情報（緯度、経度）に基づいてタイムゾーンデータを取得できるようにされている。
タイムゾーンデータ記憶部２２０には、さらに、都市名とタイムゾーンデータとが関連付けて記憶されている。したがって、ユーザーがリューズ５５の操作によって、現地時刻を知りたい都市名を選択すると、制御装置３００は、タイムゾーンデータ記憶部２２０に対してユーザーが設定した都市名を検索し、その都市名に対応するタイムゾーンデータを取得して、第１タイムゾーンデータ２１６、または、第２タイムゾーンデータ２１７に設定する。
【００４７】
［制御装置］
制御装置３００は、電子時計１０を制御するＣＰＵで構成されている。制御装置３００は、自動受信制御部３１０、手動受信制御部３２０、条件設定部３３０、照度検出部３４０、表示制御部３５０、時刻修正部３６０を備える。
自動受信制御部３１０は、衛星信号の自動受信条件に該当した場合、測時モードでの受信処理を実行する。
手動受信制御部３２０は、Ａボタン５１が３秒以上６秒未満押された場合、測時モードでの受信処理を実行し、Ａボタン５１が６秒以上押された場合、測位モードでの受信処理を実行する。
条件設定部３３０は、自動受信条件を設定する。
照度検出部３４０は、発電電圧検出回路１３６が検出した発電電圧に基づいて、電子時計１０に照射されている光の照度を検出する。すなわち、ソーラーパネル１３５の発電電圧は、照射されている光の照度に応じて変化するため、発電電圧を検出することで照度を検出できる。
表示制御部３５０は、駆動機構１４０の動作を制御して、表示装置１４１の表示を制御する。
時刻修正部３６０は、衛星信号の受信によって取得した時刻情報に基づいて、受信時刻データ２１１を修正する。
なお、制御装置３００の機能の詳細については、以下の制御装置３００の処理で説明する。
【００４８】
制御装置３００が実行する処理について説明する。
図６に示すように、自動受信モードがオフ状態からオン状態に変更されると、条件設定部３３０は、衛星信号の自動受信条件を、第１自動受信条件に設定する（Ｓ１１）。本実施形態では、第１自動受信条件は、照度検出部３４０で検出された検出照度が、第１照度閾値以上かである。第１照度閾値は、蛍光灯などの一般的な室内照明の照度よりも高く、かつ、雨天時などの太陽光の照度よりも低い値として、約２０００ｌｘに設定される。
【００４９】
次に、自動受信制御部３１０は、第１自動受信条件に該当したかを判定する（Ｓ１２）。この判定は、第１自動受信条件に該当するまで繰り返し実行される。
Ｓ１２でＹＥＳと判定された場合、自動受信制御部３１０は、受信装置１２１を作動して測時モードでの受信処理を開始する（Ｓ１３）。そして、制御装置３００は、経過時間を計測するカウンターをスタートさせる（Ｓ１４）。
測時モードでの受信処理が開始されると、受信装置１２１は、少なくとも１つのＧＰＳ衛星１００を捕捉し、そのＧＰＳ衛星１００から送信される衛星信号を受信して時刻情報を取得する。また、受信処理の実行中、表示制御部３５０は、指針２１に０秒位置を指示させ、指針７１に「１」を指示させることで、測時モードで受信処理が実行されていることを表示させる。
【００５０】
次に、制御装置３００は、衛星信号の受信に成功したか、すなわち、時刻情報の取得に成功したかを判定する（Ｓ１５）。
Ｓ１５でＹＥＳと判定された場合、表示制御部３５０は、指針２１に「Ｙ」を一定時間指示させることで、受信に成功したことを表示させる（Ｓ１６）。
次に、時刻修正部３６０は、取得した時刻情報を受信時刻データ２１１に記憶する。これにより、内部時刻データ２１３、第１表示用時刻データ２１４、第２表示用時刻データ２１５が修正される（Ｓ１７）。
【００５１】
次に、制御装置３００は、カウンターの値、すなわち、Ｓ１３で受信処理が開始されてからの経過時間が、予め設定された所定時間かを判定する（Ｓ１８）。この判定は、前記経過時間が所定時間であると判定されるまで繰り返し実行される。
すなわち、前記経過時間が所定時間となるまでは、自動受信制御部３１０による受信処理は実行されない。
そして、カウンターの値が所定時間となり、Ｓ１８でＹＥＳと判定された場合、制御装置３００は処理をスタートに戻す。これにより、Ｓ１１で自動受信条件が第１自動受信条件に維持され、Ｓ１２で第１自動受信条件に該当するか否かの判定が行われる。そして、Ｓ１２でＹＥＳと判定された場合は、再度、受信処理が実行される。
これにより、自動受信制御部３１０が実行する受信処理は、電子時計１０が衛星信号を受信できる環境にある場合は、所定時間に１回の頻度で実行される。所定時間は、ユーザーが電子時計１０を操作しない場合に、時刻精度を確保できる範囲で、最長値に設定される。例えば、電子時計１０の月差が±５秒の場合は、所定時間は６日に設定され、月差が±１５秒の場合は、所定時間は２日に設定される。本実施形態では、所定時間は、１週間に設定されている。
【００５２】
一方、Ｓ１５でＮＯと判定された場合、すなわち、衛星信号の受信に成功しなかった場合、制御装置３００は、再受信制御処理Ｓ３０を実行する。
図７に示すように、再受信制御処理Ｓ３０が実行されると、条件設定部３３０は、自動受信条件を、第１自動受信条件よりも厳しい第２自動受信条件に設定する（Ｓ３１）。本実施形態では、第２自動受信条件は、照度検出部３４０で検出された検出照度が、第１照度閾値よりも高い第２照度閾値以上かである。第２照度閾値は、一般的な室内照明と比べて照度が高い、例えばデパートの店内のスポットライトの照度（約３０００ｌｘ）よりも高い値として、約５０００ｌｘに設定される。
【００５３】
次に、制御装置３００は、カウンターの値が、所定時間（１週間）かを判定する（Ｓ３２）。
カウンターの値が所定時間未満であり、Ｓ３２でＮＯと判定された場合、自動受信制御部３１０は、第２自動受信条件に該当するかを判定する（Ｓ３３）。
Ｓ３３でＹＥＳと判定された場合、自動受信制御部３１０は、受信装置１２１を作動して測時モードでの受信処理を開始する（Ｓ３４）。
次に、制御装置３００は、衛星信号の受信に成功したかを判定する（Ｓ３５）。
【００５４】
Ｓ３３でＮＯと判定された場合、および、Ｓ３５でＮＯと判定された場合、制御装置３００は、処理をＳ３２に戻す。すなわち、受信に成功するか、または、カウンターの値が所定時間となるまで、Ｓ３２〜Ｓ３５の処理が繰り返し実行される。
つまり、第２自動受信条件による受信に成功せず、Ｓ３５でＮＯと判定された場合は、自動受信条件が第２自動受信条件に維持され、再度、第２自動受信条件に該当すれば、受信処理が実行される。
なお、Ｓ３５でＮＯと判定された場合は、処理をすぐにＳ３２に戻さずに、例えば１０分等、一定時間経過してから処理をＳ３２に戻してもよい。これによれば、第２自動受信条件による受信間隔を、少なくとも一定時間あけることができる。
そして、受信に成功しないまま、カウンターの値が所定時間となった場合、Ｓ３２でＹＥＳと判定され、制御装置３００は、再受信制御処理Ｓ３０を終了し、処理をスタートに戻す。そして、Ｓ１１で、自動受信条件が第１自動受信条件に設定される。
【００５５】
一方、カウンターの値が所定時間となる前に受信に成功して、Ｓ３５でＹＥＳと判定された場合、表示制御部３５０は、指針２１に「Ｙ」を一定時間指示させることで、受信に成功したことを表示させる（Ｓ３６）。
次に、時刻修正部３６０は、取得した時刻情報を受信時刻データ２１１に記憶する。これにより、内部時刻データ２１３、第１表示用時刻データ２１４、第２表示用時刻データ２１５が修正される（Ｓ３７）。
【００５６】
次に、制御装置３００は、カウンターの値、すなわち、Ｓ１３で受信処理が開始されてからの経過時間が、所定時間（１週間）かを判定する（Ｓ３８）。この判定は、カウンターの値が所定時間であると判定されるまで繰り返し実行される。
すなわち、前記経過時間が所定時間となるまでは、自動受信制御部３１０による受信処理は実行されない。
そして、Ｓ３８でＹＥＳと判定された場合、制御装置３００は、処理をスタートに戻す。これにより、Ｓ１１で自動受信条件が第１自動受信条件に設定され、Ｓ１２で第１自動受信条件に該当するか否かの判定が行われる。
【００５７】
なお、以上のＳ１１〜Ｓ１８，Ｓ３０の処理は、自動受信モードがオン状態からオフ状態に変更されるまで、繰り返し実行される。また、カウンターは、毎回、カウント値を０にリセットしてからスタートする。
また、第１自動受信条件または第２自動受信条件による受信に成功してから、カウンターの値が所定時間となるまでの期間は、受信処理が実行されない本発明の所定の期間の一例である。
【００５８】
［第１実施形態の作用効果］
自動受信条件が第１自動受信条件に設定されている場合、多くの場合は、電子時計１０が屋外にある場合に、受信処理を実行できる。
また、第１自動受信条件に該当して受信処理が実行された結果、衛星信号の受信に成功しなかった場合（Ｓ１５でＮＯと判定）、条件設定部３３０は、自動受信条件を第１自動受信条件よりも厳しい第２自動受信条件に設定する（Ｓ３１）。
第２自動受信条件に該当した場合は、電子時計１０にスポットライトなどの照明が照射しているのではなく、太陽光が照射していると判定でき、電子時計１０が屋外にあると判定できる。
このため、例えば、室内において、一般的な室内照明と比べて照度が高い照明の光が電子時計１０に照射され、第１自動受信条件による受信処理が実行された結果、受信に成功しなかった場合は、第２自動受信条件に該当し、電子時計１０が屋外に移動したと判定できる場合に、受信処理が実行される。このため、自動受信条件が第１自動受信条件から変更されない場合と比べて、受信に成功する確率が高い状態で受信処理を実行できるため、少ない受信回数で受信に成功することができ、消費電力を低減できる。したがって、電子時計１０の持続時間を長くできる。
【００５９】
条件設定部３３０は、カウンターの値、すなわち、第１自動受信条件に該当して受信処理が開始された時点からの経過時間が、所定時間となる場合（Ｓ１８でＹＥＳと判定、Ｓ３２でＹＥＳと判定、Ｓ３８でＹＥＳと判定）、自動受信条件を第１自動受信条件に設定する（Ｓ１１）。
これによれば、自動受信条件は、長くとも所定時間毎に、条件に該当する頻度が高い第１自動受信条件に設定される。このため、少なくとも所定時間に１回は、受信処理が行われる可能性が高い。このため、所定時間を、例えば、時計の月差などの時刻精度に応じて設定することで、受信間隔を適切に設定できる。
【００６０】
［第２実施形態］
第１実施形態の再受信制御処理Ｓ３０では、カウンターの値が所定時間となる場合を除き、受信に成功するまで、第２自動受信条件に該当する毎に受信処理が実行されているが、第２実施形態の再受信制御処理Ｓ３０Ａでは、受信処理の回数が制限されている。
【００６１】
図８は、再受信制御処理Ｓ３０Ａを示すフローチャートである。図８における、Ｓ３１〜Ｓ３８の各処理は、第１実施形態の再受信制御処理Ｓ３０のＳ３１〜Ｓ３８と同じである。
再受信制御処理Ｓ３０Ａでは、Ｓ３５で受信に成功しなかったと判定された場合（Ｓ３５でＮＯと判定）、制御装置３００は、Ｓ３４で開始された受信処理の回数が、予め設定された所定回数かを判定する（Ｓ４１）。
受信処理の回数が所定回数未満であり、Ｓ４１でＮＯと判定された場合、制御装置３００は、処理をＳ３２に戻す。すなわち、受信に成功するか、カウンターの値が所定時間となるか、受信処理の回数が所定回数となる場合を除き、Ｓ３２〜Ｓ３５，Ｓ４１の処理が繰り返し実行される。
一方、受信処理の回数が所定回数となり、Ｓ４１でＹＥＳと判定された場合、制御装置３００は、処理をＳ３８に進め、カウンターの値が所定時間となると、処理をスタートに戻す。すなわち、Ｓ４１でＹＥＳと判定された場合は、少なくともカウンターの値が所定時間となるまでは、受信処理は実行されない。
本実施形態では、所定回数は１回に設定されている。このため、Ｓ３５でＮＯと判定された場合は、常に、Ｓ４１でＹＥＳと判定される。
なお、第２実施形態のその他の構成は第１実施形態と同様である。
【００６２】
［第２実施形態の作用効果］
自動受信制御部３１０は、第２自動受信条件に該当して実行された受信処理の回数が所定回数となる場合（Ｓ４１でＹＥＳと判定）、カウンターの値が所定時間となるまで（Ｓ３８でＹＥＳと判定されるまで）、受信処理を実行しない。
これによれば、自動受信条件が第２自動受信条件に設定された場合、例えば、室内における窓際などで、太陽光が電子時計に照射する場合など、電子時計が、第２自動受信条件に該当し、かつ、衛星信号を受信できない状況にある場合に、カウンターの値が所定時間となるまでに、所定回数より多く受信処理が実行されることがない。このため、受信処理の回数制限がない場合と比べて、消費電力を低減できる。
【００６３】
［第３実施形態］
第１実施形態の再受信制御処理Ｓ３０では、処理が終了するまで、自動受信条件は第２自動受信条件に設定されているが、第３実施形態の再受信制御処理Ｓ３０Ｂでは、第２自動受信条件の受信処理によって受信に成功しなかった場合、自動受信条件が第３自動受信条件に設定される。
【００６４】
図９は、再受信制御処理Ｓ３０Ｂを示すフローチャートである。図９における、Ｓ３１〜Ｓ３８の各処理は、第１実施形態の再受信制御処理Ｓ３０のＳ３１〜Ｓ３８と同じである。
Ｓ３５で受信に成功しなかったと判定された場合（Ｓ３５でＮＯと判定）、条件設定部３３０は、自動受信条件を、第２自動受信条件よりも厳しい第３自動受信条件に設定する（Ｓ５１）。本実施形態では、第３自動受信条件は、照度検出部３４０で検出された検出照度が、第２照度閾値よりも高い第３照度閾値以上かである。第３照度閾値は、室内における窓際などで電子時計に照射される太陽光よりも高い値として、約８０００ｌｘに設定される。
【００６５】
次に、制御装置３００は、カウンターの値が所定時間（１週間）かを判定する（Ｓ５２）。
Ｓ５２でＹＥＳと判定された場合、制御装置３００は、処理をスタートに戻す。
一方、Ｓ５２でＮＯと判定された場合、自動受信制御部３１０は、第３自動受信条件に該当したかを判定する（Ｓ５３）。
Ｓ５３でＮＯと判定された場合、制御装置３００は、処理をＳ５２に戻す。これにより、Ｓ５３でＹＥＳと判定されるか、カウンターの値が所定時間となるまで、Ｓ５２，Ｓ５３の判定が繰り返し実行される。
Ｓ５３でＹＥＳと判定された場合、自動受信制御部３１０は、受信装置１２１を作動して測時モードでの受信処理を開始する（Ｓ５４）。
【００６６】
次に、制御装置３００は、衛星信号の受信に成功したかを判定する（Ｓ５５）。
Ｓ５５でＹＥＳと判定された場合、表示制御部３５０は、指針２１に「Ｙ」を一定時間指示させることで、受信に成功したことを表示させる（Ｓ５６）。
次に、時刻修正部３６０は、取得した時刻情報を受信時刻データ２１１に記憶する。これにより、内部時刻データ２１３、第１表示用時刻データ２１４、第２表示用時刻データ２１５が修正される（Ｓ５７）。
【００６７】
Ｓ５７の処理の後、または、Ｓ５５で受信に成功しなかったと判定された場合（Ｓ５５でＮＯと判定）、制御装置３００は、カウンターの値が、所定時間（１週間）かを判定する（Ｓ５８）。この判定は、カウンターの値が所定時間であると判定されるまで繰り返し実行される。
すなわち、カウンターの値が所定時間となるまでは、自動受信制御部３１０による受信処理は実行されない。
Ｓ５８でＹＥＳと判定された場合、制御装置３００は、処理をスタートに戻す。これにより、Ｓ１１で自動受信条件が第１自動受信条件に設定され、Ｓ１２で第１自動受信条件に該当するか否かの判定が行われる。
なお、第２実施形態のその他の構成は第１実施形態と同様である。
【００６８】
［第３実施形態の作用効果］
第２自動受信条件による受信に成功しなかった場合（Ｓ３５でＮＯと判定）、条件設定部３３０は、自動受信条件を第３自動受信条件に設定する（Ｓ５１）。
第３自動受信条件に該当した場合は、電子時計に窓際などで太陽光が照射しているのではなく、屋外で太陽光が照射していると判定でき、電子時計１０が屋外にあると判定できる。
このため、例えば、室内における窓際などで電子時計に太陽光が照射され、第２自動受信条件による受信処理が実行された結果、受信に成功しなかった場合は、第３自動受信条件に該当し、電子時計が屋外に移動したと判定できる場合に、受信処理が実行される。このため、自動受信条件が第２自動受信条件から変更されない場合と比べて、受信に成功する確率が高い状態で受信処理を実行できるため、少ない受信回数で受信に成功することができ、消費電力を低減できる。
【００６９】
［他の実施形態］
なお、本発明は前述の各実施形態に限定されるものではなく、本発明の目的を達成できる範囲での変形、改良等は本発明に含まれるものである。
前記各実施形態では、第１〜第３自動受信条件は、検出照度が照度閾値以上かであるが、本発明はこれに限定されない。例えば、検出照度が予め設定された照度閾値以上となる状態が、時間閾値以上継続したかであってもよい。
この場合、具体的には、第１自動受信条件は、検出照度が照度閾値以上となる状態が、第１時間閾値以上継続したかである。照度閾値は、例えば、２０００ｌｘに設定される。第１時間閾は、例えば１秒など、電子時計が屋外にあると判定できる最小値に設定される。
【００７０】
第２自動受信条件は、検出照度が照度閾値以上となる状態が、第１時間閾値よりも長い第２時間閾値以上継続したかである。第２時間閾値は、例えば、１分に設定される。
照度が照度閾値以上となるような照明は、デパートの店内のスポットライトなど、商品などを照らしているものが多いため、当該照明の光が電子時計に照射された状態が１分以上続くことは稀である。このため、第２自動受信条件に該当した場合は、電子時計にスポットライトなどの照明が照射しているのではなく、電子時計に太陽光が照射していると判定でき、電子時計が屋外にあると判定できる。
このため、本変形例によれば、例えば、室内において、一般的な室内照明と比べて照度が高い照明の光が時計に照射され、第１自動受信条件による受信処理が実行された結果、受信に成功しなかった場合は、第２自動受信条件に該当し、時計が屋外に移動したと判定できる場合に、受信処理が実行される。
【００７１】
第３自動受信条件は、検出照度が照度閾値以上となる状態が、第２時間閾値よりも長い第３時間閾値以上継続したかである。第３時間閾値は、例えば、３分に設定される。
電子時計が屋外に配置され、第２自動受信条件に該当する場合であっても、電子時計を装着したユーザーが歩行している場合は、腕の振りに応じて電子時計の角度が変化するため、衛星信号が時計内に継続して入射されず、衛星信号を受信できない場合がある。ただし、このような場合は、電子時計に照射される太陽光の光量も変化するため、検出照度が照度閾値以上となる状態が３分以上継続する可能性は低い。このため、第３自動受信条件に該当した場合は、屋外においてユーザーが静止していると判定できる。
このため、本変形例によれば、例えば、屋外において電子時計を装着したユーザーが歩行しており、第２自動受信条件による受信処理が実行された結果、受信に成功しなかった場合は、第３自動受信条件に該当し、ユーザーが静止したと判定できる場合に、受信処理が実行される。
なお、本変形例では、照度の検出は、常に行わなくてもよく、例えば５秒毎に行ってもよい。この場合、検出照度が照度閾値を連続して超えた回数を基準として、第１〜第３自動受信条件を設定してもよい。
【００７２】
前記各実施形態では、照度検出部３４０は、発電電圧検出回路１３６が検出したソーラーパネル１３５の発電電圧に基づいて、電子時計に照射されている光の照度を検出しているが、本発明はこれに限定されない。例えば、電子時計に、照度センサーなどを設け、照度検出部３４０が、このセンサーを用いて照度を検出するようにしてもよい。
ただし、ソーラーパネル１３５の発電電圧に基づいて照度を検出する場合は、電子時計に、別途、照度センサーなどを設ける必要がないため、電子時計の部品点数を削減でき、かつ、電子時計の体積も小さくできる。
【００７３】
前記各実施形態では、自動受信条件は、照度を基準にして設定されているが、本発明はこれに限定されない。例えば、電子時計に紫外線センサーを設け、自動受信条件を、紫外線の量を基準として設定してもよい。すなわち、電子時計が屋外にある場合、室内にある場合と比べて、紫外線の量は多くなるため、紫外線の量を基準として、電子時計が屋外にあることを検出することができる。
また、電子時計に加速度センサーなどを設け、電子時計が静止しているかなどを判定できる加速度の条件を、第１〜第３自動受信条件に加えてもよい。
また、電子時計に湿度や気温や気圧センサーを設け、電子時計が屋外に位置していることを判定できる湿度や気温や気圧の条件を、第１〜第３自動受信条件に加えてもよい。
【００７４】
前記各実施形態では、第１〜第３自動受信条件は、照度という同じ種類の基準に基づいているが、本発明はこれに限定されない。例えば、各第１〜第３自動受信条件は、照度、照度が照度閾値以上となる状態の時間、加速度、湿度、気温、気圧など、互いに種類が異なる基準に基づいていてもよい。また、各第１〜第３自動受信条件は、基準の数が互いに異なっていてもよい。例えば、第１、第２自動受信条件が照度に基づき、第３自動受信条件が、照度および照度が照度閾値以上となる状態の時間に基づいていてもよい。
【００７５】
前記各実施形態では、自動受信制御部３１０は、自動受信条件に該当した場合、二次電池１３０の電池残量に関係なく、受信処理を実行しているが、本発明はこれに限定されない。例えば、自動受信条件に該当した場合、電池残量が、予め設定された残量閾値以上の場合に、受信処理が実行されるようにしてもよい。電池残量は、例えば、二次電池１３０の電池電圧を検出することで判定できる。この場合、受信処理により電池残量が低下し、システムダウンが発生することを防止できる。
また、前記各実施形態では、自動受信制御部３１０は、測時モードの受信処理を実行しているが、本発明はこれに限定されない。すなわち、測位モードの受信処理を実行してもよい。
【００７６】
前記各実施形態では、受信処理の実行中、表示制御部３５０は、指針２１に０秒位置を指示させ、指針７１に「１」を指示させることで、測時モードで受信処理が実行されていることを表示させているが、本発明はこれに限定されない。すなわち、受信モードを表示させなくてもよい。
また、前記各実施形態では、受信処理に成功した場合、表示制御部３５０は、指針２１に「Ｙ」を指示させることで受信に成功したことを表示させているが、本発明はこれに限定されない。すなわち、受信に成功したことを表示させなくてもよい。
【００７７】
前記各実施形態では、第１自動受信条件に該当して受信処理が開始された時点で、経過時間を計測するカウンターがスタートしているが、本発明はこれに限定されない。例えば、第１自動受信条件が設定された時点で、カウンターがスタートしてもよい。
すなわち、前記各実施形態では、受信に成功した場合の受信処理が実行されない期間である本発明の所定の期間は、受信に成功してから、第１自動受信条件の受信処理が開始されてからの経過時間が所定時間となるまでの期間であるが、前記所定の期間は、受信に成功してから、第１自動受信条件が設定されてからの経過時間が所定時間となるまでの期間であってもよい。
また、前記所定の期間は、所定時間と一致していてもよい。
すなわち、前記所定の期間は、受信に成功してから、所定の受信再開条件に該当するまでの期間であり、当該受信再開条件は、電子時計の月差などに応じて適宜設定すればよい。
【００７８】
前記第２実施形態では、受信回数が比較される所定回数は、１回に設定されているが、本発明はこれに限定されない。すなわち、２回以上に設定されていてもよい。
【００７９】
前記各実施形態では、電子時計は、文字板１１や指針等からなる表示装置１４１を備えているが、本発明はこれに限定されない。電子時計は、液晶パネル等からなる時刻表示部を備えていてもよい。この場合、時刻表示部を駆動する駆動体は、液晶パネルを駆動する駆動部を備えて構成される。
また、この場合、電子時計は時刻表示機能を備えていればよく、時刻表示部は、時刻表示専用の表示部である必要はない。このような電子時計としては、ユーザーの腕に装着されて脈拍を計測する脈拍計や、ユーザーがランニングを行う際などにユーザーの腕に装着されて現在位置を計測して蓄積するＧＰＳロガー等のリスト型機器を例示できる。
【００８０】
前記実施形態では、位置情報衛星の例として、ＧＰＳ衛星１００について説明したが、本発明はこれに限定されない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる地域的衛星測位システム（ＲＮＳＳ）などの衛星も適用できる。
【符号の説明】
【００８１】
１０…電子時計、１２１…受信装置（受信部）、３１０…自動受信制御部、３３０…条件設定部、３４０…照度検出部。
【図１】
2017032464.tif 000003
【図２】
2017032464.tif 000004
【図３】
2017032464.tif 000005
【図４】
2017032464.tif 000006
【図５】
2017032464.tif 000007
【図６】
2017032464.tif 000008
【図７】
2017032464.tif 000009
【図８】
2017032464.tif 000010
【図９】
2017032464.tif 000011